(57)【要約】【課題】  複数の製品を、平面的に並べて、対比できるように展示すことができ、安全面及び利便性の向上をはかることができるラケット展示用什器を提供する。【解決手段】  横長の矩形状の第一部分、縦長の矩形状の第二部分及びこれらを接続する第三部分が一体形成された背板を有し、前記背板には、横長の矩形状の第１開口部と、縦長の第２開口部とが設けられている展示用什器を提供する。前記展示用什器の背板の第一部分及び第二部分の両端には、所望の高さの第１部材及び第２部材を取り付けることができる。【選択図】  図２
0003177924.tif 000002
【実用新案登録請求の範囲】
【請求項１】
一体成型された平板状の背板を有するラケット展示用什器であって、
横長の矩形状の第一部分と；
前記第一部分に対して縦方向側に位置し、前記第一部分より横方向幅が狭い縦長の矩形状の第二部分と；
前記第一部分と前記第二部分との間に位置して、前記第一部分と前記第二部分とを接続し、前記第一部分側の端部の横方向幅が前記第一部分の横方向幅と同一であるとともに、前記第二部分側の端部の横方向幅が前記第二部分の横方向幅と同一である台形状の第三部分と、を備え；
前記第一部分には、横方向が長手方向である第１開口部が設けられ、
前記第二部分と前記第三部分とにわたって縦方向が長手方向である第２開口部が設けられている、ラケット展示用什器。
【請求項２】
前記第一部分の横方向両端部に、前記第一部分に対して直立し、縦方向に沿って延びる所望の高さの第１部材が、互いに対向するように取り付けられていることを特徴とする、請求項１に記載のラケット展示用什器。
【請求項３】
前記第１部材は、１枚の薄型部材が折り曲げられて構成されていることを特徴とする、請求項２に記載のラケット展示用什器。
【請求項４】
前記第二部分の横方向両端部に、前記第二部分に対して直立し、縦方向に沿って延びる所望の高さの第２部材が互いに対向するように取り付けられていることを特徴とする、請求項１〜３のいずれかに記載のラケット展示用什器。
【請求項５】
前記第２部材は、１枚の薄型部材が折り曲げられて構成されていることを特徴とする、請求項４に記載のラケット展示用什器。
【請求項６】
前記背板は、発砲スチロール板、のりつきスチレンボード、のりなしスチレンボード、及びポスター貼り付け用パネルからなる群から選ばれるいずれかの材料で構成されていることを特徴とする、請求項１〜５のいずれかに記載のラケット展示用什器。
【請求項７】
前記第１部材及び第２部材は、厚紙、ポリプロピレン加工していないコート・ボール、ポリプロピレン加工したグロスタイプのコート・ボール、及びポリプロピレン加工したマットタイプのコート・ボールからなる群から選ばれるいずれかの材料で構成されていることを特徴とする、請求項２〜５のいずれかに記載のラケット展示用什器。
【考案の詳細な説明】
【技術分野】
【０００１】
本考案は、ラケットスポーツで使用されるラケットを展示する展示用什器に関する。
【背景技術】
【０００２】
従来、ラケットスポーツで使用されるラケットは、大きさや形状がほぼ決まっているため、使用者は、性能とデザインを中心に選択を行ってきている。
ここで、ラケットスポーツとは、テニス、バドミントン、卓球その他の各種のラケットを用いて行うスポーツをいう。
例えば、テニスラケットの場合、性能ばかりでなく、デザインや、有名プレーヤーが使用しているものの人気が高いため、こうした情報をラケット用展示板に掲載することが、販売戦略上も重要である。
【０００３】
一方で、ラケットは、一般的には、同じメーカーの同一の型番の製品が、展示用什器の同一のフックにかけられ、販売されている。そして、上記のような製品に関する情報を掲載するために、ラケットよりも一回り大きな略楕円形の展示用什器（展示板）が使用されている。
【先行技術文献】
【非特許文献】
【０００４】
スポーツ用品総合  フタバスポーツ  埼玉  朝霞店：テニスコーナーアーカイブ、[online]、インターネット＜URL：http://www.futaba-sp.com/asaka/floor/tennis/＞
【考案の概要】
【考案が解決しようとする課題】
【０００５】
従来の展示方式では、展示板の大きさがラケットよりも一回り大きいだけであったため、同一メーカーの異なるモデルの製品を平面的に幾つか並べて、対比できるように展示することはできなかった。
ラケットスポーツの場合、自社製品の優秀性をアピールするためには、他社の製品との相違を、視覚化してインパクトを与えられるようにし、差別化を図る必要がある。しかし、他社の製品と、展示されている自社の製品とを明確に区別するための部材を、上述した展示板に取り付けることもできなかった。
【０００６】
さらに、展示板には、フックにかけるための穴が１つ開けられているだけであり、地震があると大きく揺れて落ちることもある等、安全面でも考慮の余地があった。また、安全性や持ち運びの容易さといった利便性の向上を図る必要もある。
このため、従来使用されてきた展示板とは異なる構成を持ち、かつ上記のような必要性を充足できる展示用什器に対する強い社会的要請があった。
【課題を解決するための手段】
【０００７】
本考案は、上記のような状況の下で案出されたものである。
すなわち、本考案は、一体成型された平板状の背板を有するラケット展示用什器であって、横長の矩形状の第一部分と；前記第一部分に対して縦方向側に位置し、前記第一部分より横方向幅が狭い縦長の矩形状の第二部分と；前記第一部分と前記第二部分との間に位置して、前記第一部分と前記第二部分とを接続し、前記第一部分側の端部の横方向幅が前記第一部分の横方向幅と同一であるとともに、前記第二部分側の端部の横方向幅が前記第二部分の横方向幅と同一である台形状の第三部分と、を備え；前記第一部分には、横方向が長手方向である第１開口部が設けられ、前記第二部分と前記第三部分とにわたって縦方向が長手方向である第２開口部が設けられている、ラケット展示用什器である。
【０００８】
ここで、前記第一部分の横方向両端部に、前記第一部分に対して直立し、縦方向に沿って延びる所望の高さの第１部材が、互いに対向するように取り付けられていることが好ましい。そして、前記第１部材は、１枚の薄型部材が折り曲げられて構成されていることが好ましい。
【０００９】
前記第二部分の横方向両端部に、前記第二部分に対して直立し、縦方向に沿って延びる所望の高さの第２部材が互いに対向するように取り付けられていることが好ましい。また、前記第２部材は、１枚の薄型部材が折り曲げられて構成されていることが好ましい。
ここで、前記第１部材と前記第２部材とは、同一の素材を使用して構成してもよく、異なる素材を使用して構成してもよい。
【００１０】
前記背板は、発砲スチロール板、のりつきスチレンボード、のりなしスチレンボード、及びポスター貼り付け用パネルからなる群から選ばれるいずれかの材料で中芯が構成されていることが好ましい。これらの素材の中でも、のりつきスチレンボード又はのりなしスチレンボードを使用することが、什器の軽量化を図ることができる点で好ましい。背板は、上記の中芯の上に、ポリプロピレンフィルムを載せた（ＰＰ加工）コート・ボールを貼り合せて作製することが好ましい。
背板の中芯スチレンボードの厚みは、約５〜１０ｍｍ程度とすることが好ましく、約７ｍｍとすることが、上記のＰＰ加工したコート・ボールと合紙したときの重量と、背板の強度とのバランスという点からさらに好ましい。
【００１１】
ここで、ＰＰ加工とは、表面を白く加工したコート・ボールにポリプロピレンフィルム（ＰＰ）を接着剤で貼り合せる加工をいい、表面につやのあるＰＰを貼り合わせる加工をグロスＰＰ加工、つやのないＰＰを貼り合わせる加工をマットＰＰという。スチレンボードと合紙するコート・ボールは、グロスＰＰ、マットＰＰのいずれを使用することもでき、目的に応じて使い分ければよい。
前記背板の大きさは、展示しようとするラケットを３〜５本程度並べられる大きさであることが、展示品の情報を提供することが十分にできることから好ましい。
【００１２】
前記第１部材及び第２部材は、厚紙、ＰＰ加工していないコート・ボール、グロスＰＰ加工したコート・ボール、及びマットＰＰ加工したコート・ボールからなる群から選ばれる材料で構成されていることが好ましく、グロスＰＰ加工したコート・ボール又はマットＰＰ加工したコート・ボールを使用することが、展示しようとするラケットに関する各種の情報を印刷等によって掲載しやすいことから、好ましい。グロスＰＰ加工したコート・ボールであって、四六判の重量が、約２５０〜３７０ｇのものを使用することが、耐久性等の点からさらに好ましい。
【考案の効果】
【００１３】
本考案によれば、安全性が高く、軽量で利便性の高いラケット展示用什器が提供される。また、他社の製品との相違を明確にできるような構造のラケット展示用什器が提供される。
【図面の簡単な説明】
【００１４】
【図１Ａ】図１Ａは、本考案に係るラケット展示用什器の斜視図（その１）である。
【図１Ｂ】図１Ｂは、上記ラケット展示用什器の斜視図（その２）である。
【図２】図２は、上記ラケット展示用什器の使用状態を示す斜視図である。
【図３】図３は、上記ラケット展示用什器の背板を示す図である。
【図４Ａ】図４Ａは、上記ラケット展示用什器の第１部材の展開図である。
【図４Ｂ】図４Ｂは、組み立てられた上記第１部材の形状を示す図である。
【図５】図５は、上記ラケット展示用什器を示す正面図である。
【考案を実施するための形態】
【００１５】
以下に、本考案をさらに詳細に説明する。
本考案に係るラケット展示用什器１００の外観を図１Ａ及びＢに示す。
そして、上記ラケット展示用什器１００は、図３に示すように、（１）横長の矩形状の第一部分１０ａと；（２）前記第一部分に対して縦方向側に位置し、前記第一部分より横方向幅が狭い縦長の矩形状の第二部分１０ｂと；（３）前記第一部分１０ａと前記第二部分１０ｂとの間に位置して、前記第一部分１０ａと前記第二部分１０ｂとを接続し、前記第一部分側の端部の横方向幅が前記第一部分の横方向幅と同一であるとともに、前記第二部分側の端部の横方向幅が前記第二部分の横方向幅と同一である台形状の第三部分１０ｃと、を備える背板１０が一体成型された平板状の背板を有している。
そして、（１Ａ）前記第一部分１０ａには、横方向が長手方向である第１開口部１２が設けられ、（１Ｂ）前記第二部分１０ｂと前記第三部分１０ｃとにわたって縦方向が長手方向である第２開口部１４とが設けられている。
【００１６】
上記第１開口部１２は、一般的に使用されている板状の大型の展示用什器の筐体に設けられた２つのフックに掛け渡すための開口部である。この大型の展示用什器は、例えば、ネット状のパネルで構成されており、その前面に、展示品をかけるためのフックが設けられている。そして、第１開口部１２が水平方向の位置を決めるために使用され、本考案の背板は、大型の展示用什器にかけたときに、水平方向の２つのフックで支持されるようになっている。
また、第２開口部１４は、上記の大型展示用什器の１つのフックが突き出るようにするための開口部である。
大型の展示用什器に本考案に係る展示用什器をかけたときの状態の一例を、図２に示す。
【００１７】
図２に示すように、第一開口部１２は、ある程度の高さのある長方形の開口部となっているため、本考案に係る展示用什器に縦方向からの力が加わったときでも、この開口部で、什器全体が縦にずれることを防止することができる。そして、第二開口部１４は、そのなかにフックが存在しているため、本考案に係る展示用什器に横からの力が加わったときに、このフックで什器全体が一定以上動かないようにすることができるようになっている。
本考案のラケット展示用什器の背板１０が以上のような構成を備えているため、縦揺れ又は横揺れによって、大型の展示用什器に力がかかっても、本考案に係る展示用什器１００ははずれにくいという利点がある。
【００１８】
本考案に係るラケット展示用什器１００では、（４）前記第一部分１０ａの横方向両端部１０ａＬ，１０ａＲに、前記第一部分１０ａに対して直立し、縦方向に沿って延びる所望の高さの第１部材２２Ｌ，２２Ｒが、互いに対向するように取り付けるようにすることができる。（５）前記第二部分１０ｂの横方向両端部１０ｂＬ，１０ｂＲに、前記第二一部分１０ｂに対して直立し、縦方向に沿って延びる所望の高さの第２部材２４Ｌ，２４Ｒが、互いに対向するように取り付けるようにすることができる。
【００１９】
以上のような第１部材２２Ｌ，２２Ｒ及び第２部材２４Ｌ，２４Ｒは、いずれか一方のみを背板１０に取り付けることとしてもよいが、両方を取り付けることによって、背板の上に展示するラケットを、その周囲に展示されているラケットから明確に区別することができるようになる。とりわけ、背板の展示面に、ブランドのイメージキャラクター等を掲載しておけば、こうした区別はよりしやすいものとなる。
【００２０】
また、本考案のラケット展示用什器の背板は、発砲スチロール板、のりつきスチレンボード、のりなしスチレンボード、及びポスター貼り付け用パネルからなる群から選ばれるいずれかの材料で中芯が構成されている。これらの素材の中でも、のりつきスチレンボード又はのりなしスチレンボードで形成された、例えば、厚み約６〜９ｍｍの板状部材を使用すると、軽量で加工が容易であり、かつ耐久性が高い背板用中芯とすることができる。ここで、ポスター貼り付け用パネルとしては、例えば、ハレパネ（登録商標）等を挙げることができる。
【００２１】
この背板用中芯と、ＰＰ加工したコート・ボールとを合紙する。ここで使用するＰＰ加工コート・ボールは、四六判の重量が約２５０〜３７０ｇのものを使用することが、什器全体の重量との関係から好ましく、約３００〜３２０ｇのものを使用することがさらに好ましい。最も好ましく使用できるのは、約３１０ｇのものである。
第１部材及び第２部材に付いては、厚紙、ＰＰ加工していないコート・ボール、グロスＰＰ加工したコート・ボール、及びマットＰＰ加工したコート・ボールからなる群から選ばれる材料で構成することができ、第１部材と第２部材とを同じ素材で構成することもできる。こうした材料の中でも、グロスＰＰ加工したコート・ボール又はマットＰＰ加工したコート・ボールを使用すると、これらの部材の高さを容易に所望の高さとすることができること、軽量であること、及び背板１０への取り付けが容易であり、かつ、所望の期間の間、褪色や変色が生じないという利点がある。さらに、展示するラケットのメーカー名（ブランド名）等を、大きくかつ明確に表示できるという利点もある。
【００２２】
本考案のラケット展示用什器の作成について以下に、図面を参照しつつ説明する。
まず、図３に示す形状の背板１０用の中芯を切り出すことができる大きさのスチレンボードを準備し、打ち抜き等によって、背板１０用の中芯を切り出す。次いで、背板１０の第一部分１０ａに、横方向が長手方向となるように、第１開口部１２を、打ち抜き等によって形成する。
次に、背板１０の第二部分と第三部分とにまたがるように、図２に示すような位置に第二開口部１４を、例えば、打ち抜き等によって形成する。
【００２３】
ここで、必要に応じて、展示しようとするラケットのイメージキャラクターとなっているプレーヤーの写真や、強調したいラケットの性能等をデザインして印刷したシート状部材を、背板１０用中芯と同じ大きさになるように裁断して重ね合わせる。
具体的には、上記の背板用中芯と合紙するコート・ボールを、中芯と同じ大きさに切りだし、第１開口部１２と第２開口部とを同様に形成する。ここで使用するＰＰ加工コート・ボールは、グロスＰＰ、マットＰＰのいずれであってもよい。
上記のようにして作製した背板用中芯とシート状部材とを重ね合わせて、必要に応じて接着剤で貼り合せ、本考案のラケット展示用什器の背板１０とする。
【００２４】
次いで、必要に応じて、上記第１部材２２Ｌ,２２Ｒ及び／又は第２部材２４Ｌ,２４Ｒを作成する。
図４Ａ及び４Ｂに、第１部材の展開図と組立図とを示す。上記第１部材２２Ｌ，２２Ｒのうち、２２Ｒの作成を例にとって説明する。第２部材も、上記第１部材と同様にして作成できるため、図示は省略した。また、図４Ａ中、２２Ｓ１〜２２Ｓ３は、折山を示す。
まず、折山２２Ｓ１にそって薄型部材２０を１回折り曲げ、次いで、折山２２Ｓ２及び２２Ｓ３をそれぞれ、折り曲げる。次に、折山２２Ｓ２と辺２０Ｒ、折山２２Ｓ３と辺２０Ｌとが合うように２１Ｌと２１Ｒとを重ね合わせて貼り付け、三角柱状の部材２２Ｒを作製する（図４Ｂ）。
【００２５】
次いで、上記のようにして作製した部材２２Ｒを、上記背板１０の第一部分の左右の両端に、例えば、各種の接着剤、両面テープ等の固定用部材を用いて取り付ける。図１（Ａ）及び（Ｂ）、図５には、第一部分及び第二部分に、それぞれ第１部材２２Ｌ,２２Ｒ及び第２部材２４Ｌ,２４Ｒを取り付けた状態を示している。
図４Ａに示す貼り合せ部分２１Ｌ,２１Ｒは、第１部材の背板１０からの高さによって、適宜調節することができる。第２部材２４Ｌ,２４Ｒについても、第１部材２２Ｒ，２２Ｌと同様にして作製し、例えば、背板１０と貼り合わせることによって、背板に取り付けることができる。
以上のようにして、背板１０の第一部分１０ａ及び／又は第二部分１０ｂの一方又は双方に第１部材及び／又は第２部材を取り付けたラケット展示用什器を作成することができる。
【００２６】
なお、本考案のラケット展示用什器では、上述した第１部材、第２部材は、背板１０から容易に取り外すことができるため、ラケットとともに展示する情報を速やかに更新することができる。
また、本考案のラケット展示用什器背板１０に第１部材及び／又は第２部材を取り付けない状態で輸送し、設置する場所で適宜組み立てることができるため、かさばらず、展示品であるラケットともに輸送することができるため、輸送効率が高いという利点がある。
さらに、第１部材及び／又は第２部材を容易に取り外すことができる。そして、背板１０も容易に小片に破砕することができるため、使用後にゴミとして処分することが容易であるという利点もある。
【産業上の利用可能性】
【００２７】
本考案は、ラケット等の展示する必要のある分野で有用である。
【図１Ａ】
0003177924.tif 000003
【図１Ｂ】
0003177924.tif 000004
【図２】
0003177924.tif 000005
【図３】
0003177924.tif 000006
【図４Ａ】
0003177924.tif 000007
【図４Ｂ】
0003177924.tif 000008
【図５】
0003177924.tif 000009